(57)【要約】【課題】電話端末から電話番号を登録できるゲートウェイを提供する。【解決手段】回線部５０は、電話端末からの電話番号登録コードを検出すると、回線番号“０ｍ”と登録を要求された電話番号“１２３４”とを付加した登録要求１０２  を装置情報管理部５２に出力する。装置情報管理部５２は、登録要求１０２  に従って電話番号情報を更新し、回線制御部５４に対して閉塞要求１０６  を出力する。回線制御部５４は、回線を閉塞状態に設定し、ＧＫ管理部５６に対して再登録処理要求１０８  を出力する。ＧＫ管理部５６は、装置情報管理部５２から変更情報１１４  を取得して電話番号情報の変更内容を把握し、ＧＫ装置１２に対して電話番号“１００ｍ”を“１２３４”に変更するよう要求し、ＧＫ装置１２にて電話番号“１２３４”が登録されたことを確認すると回線制御部５４に対して閉塞解除要求１１０  を出力する。回線制御部５４は回線の閉塞状態を解除する。【選択図】        図１
2004165812.tif 000002
【特許請求の範囲】
【請求項１】
電話端末を収容し、ＶｏＩＰネットワーク上で使用されるゲートウェイにおいて、該ゲートウェイは、
前記電話端末の電話番号を電話端末が接続される回線の回線番号ごとに記憶する電話番号情報メモリを有し、前記電話端末から電話番号の登録要求を受けたとき、前記電話番号情報メモリに登録要求に係る電話番号を書き込む装置情報管理手段と、
前記電話番号情報メモリに登録要求に係る電話番号が書き込まれたとき、前記ＶｏＩＰネットワーク上で使用されるゲートキーパーに対して登録要求に係る電話番号の登録を要求するゲートキーパー管理手段とを含むことを特徴とするゲートウェイ。
【請求項２】
請求項１に記載のゲートウェイにおいて、
前記装置情報管理手段は、さらに前記電話端末から電話番号の削除要求を受けたとき、前記電話番号情報メモリから削除要求に係る電話番号を削除し、前記ゲートキーパー管理手段は、さらに前記電話番号情報メモリから削除要求に係る電話番号が削除されたとき、前記ＶｏＩＰネットワーク上で使用されるゲートキーパーに対して削除要求に係る電話番号の登録削除を要求することを特徴とするゲートウェイ。
【請求項３】
構内交換機を介して電話端末を収容し、ＶｏＩＰネットワーク上で使用されるゲートウィにおいて、該ゲートウェイは、
前記電話端末の電話番号と前記構内交換機における内線番号とを電話端末ごとに記憶する着信番号変換情報メモリを有し、前記電話端末から電話番号の登録要求を受けたとき、前記着信番号変換情報メモリに登録要求に係る電話番号および内線番号を書き込む装置情報管理手段と、
前記着信番号変換情報メモリに登録要求に係る電話番号および内線番号が書き込まれたとき、前記ＶｏＩＰネットワーク上で使用されるゲートキーパーに対して登録要求に係る電話番号の登録を要求するゲートキーパー管理手段とを含むことを特徴とするゲートウェイ。
【請求項４】
請求項３に記載のゲートウェイにおいて、
前記装置情報管理手段は、さらに前記電話端末から電話番号の削除要求を受けたとき、前記着信番号変換情報メモリから削除要求に係る電話番号および内線番号を削除し、前記ゲートキーパー管理手段は、さらに前記着信番号変換情報メモリから削除要求に係る電話番号および内線番号が削除されたとき、前記ＶｏＩＰネットワーク上で使用されるゲートキーパーに対して削除要求に係る電話番号の登録削除を要求することを特徴とするゲートウェイ。
【請求項５】
請求項２に記載のゲートウェイと同一の第１のゲートウェイおよび第２のゲートウェイが動作するＶｏＩＰネットワークにおける電話番号登録方法において、該方法は、
前記第１のゲートウェイに収容される電話端末から該第１のゲートウェイに対して電話番号の削除要求を出力する工程と、
前記第１のゲートウェイの装置情報管理手段により前記電話番号情報メモリから前記削除要求に係る電話番号を削除する工程と、
前記第１のゲートウェイのゲートキーパー管理手段により前記ゲートキーパーに対して削除要求に係る電話番号の登録削除を要求する工程と、
前記第２のゲートウェイに収容される電話端末から該第２のゲートウェイに対して削除要求に係る電話番号と同一の電話番号の登録要求を出力する工程と、
前記第２のゲートウェイの装置情報管理手段により前記電話番号情報メモリに登録要求に係る電話番号を書き込む工程と、
前記第２のゲートウェイのゲートキーパー管理手段により、前記ゲートキーパーに対して登録要求に係る電話番号の登録を要求する工程とを含むことを特徴とする電話番号登録方法。
【請求項６】
請求項４に記載のゲートウェイと同一の第３のゲートウェイおよび第４のゲートウェイが動作するＶｏＩＰネットワークにおける電話番号登録方法において、該方法は、
前記第３のゲートウェイに接続される第１の構内交換機に収容される電話端末から該第３のゲートウェイに対して電話番号の削除要求を出力する工程と、
前記第３のゲートウェイの装置情報管理手段により前記電話番号情報メモリから前記削除要求に係る電話番号を削除する工程と、
前記第３のゲートウェイのゲートキーパー管理手段により前記ゲートキーパーに対して削除要求に係る電話番号の登録削除を要求する工程と、
前記第４のゲートウェイに接続される第２の構内交換機に収容される電話端末から該第４のゲートウェイに対して削除要求に係る電話番号と同一の電話番号の登録要求を出力する工程と、
前記第４のゲートウェイの装置情報管理手段により前記電話番号情報メモリに登録要求に係る電話番号を書き込む工程と、
前記第４のゲートウェイのゲートキーパー管理手段により、前記ゲートキーパーに対して登録要求に係る電話番号の登録を要求する工程とを含むことを特徴とする電話番号登録方法。
【発明の詳細な説明】
【０００１】
【発明の属する技術分野】
本発明は、ＩＰ（Ｉｎｔｅｒｎｅｔ  Ｐｒｏｔｏｃｏｌ  ）ネットワーク上で音声通信やＦＡＸ  通信を行う電話端末を収容するＶｏＩＰ（Ｖｏｉｃｅ  ｏｖｅｒ  ＩＰ）ゲートウェイ（Ｇａｔｅｗａｙ）に関する。
【０００２】
【従来の技術】
ＩＰネットワークに接続されたゲートウェイに収容される電話端末は、ＶｏＩＰにより音声通信やＦＡＸ  通信を行うためには、ＩＰネットワークに接続されているゲートキーパー（Ｇａｔｅｋｅｅｐｅｒ）に自己の電話番号を登録する必要がある。従来、電話端末の電話番号を登録する処理は、システムの管理者により行われていた。例えば、管理者は、ゲートウェイに回線０１〜０ｎを介して収容されている電話端末１〜ｎの電話番号１００１〜１００ｎをゲートキーパーに登録する場合、回線番号および電話番号からなる電話番号情報（回線０１：電話番号１００１、回線０２：電話番号１００２、回線０３：電話番号１００３、・・・、回線０ｎ：電話番号１００ｎ）を保守端末から直接あるいはＩＰネットワークを介してゲートウェイに送出して登録し、ゲートウェイの再立ち上げを行う。ゲートウェイでは、登録した各電話番号をＩＴＵ−Ｔ  （Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）勧告Ｈ．３２３  に規定されているメッセージＲＲＱ  を使用してゲートキーパーに送出し、登録を要求していた（例えば、非特許文献１参照）。
【０００３】
【非特許文献１】
ＩＴＵ−Ｔ  勧告Ｈ．３２３  （７章２項２節）。
【０００４】
【発明が解決しようとする課題】
しかしながら、以上に述べた電話番号登録方法では、システムの管理者が全ての電話端末の電話番号を管理しなければならなかった。また、管理者は、電話番号情報をゲートウェイに登録後、そのゲートウェイの再立ち上げを行う必要があった。
【０００５】
本発明はこのような従来技術の欠点を解消し、電話端末の使用者が自己の電話番号を電話端末からゲートキーパーに対して登録要求するができるゲートウェイを提供することを目的とする。
【０００６】
【課題を解決するための手段】
本発明によるゲートウェイは上記の問題を解決するために、電話端末の電話番号を電話端末が接続される回線の回線番号ごとに記憶する電話番号情報メモリを有し、電話端末から電話番号の登録要求を受けたとき、電話番号情報メモリに登録要求に係る電話番号を書き込む装置情報管理手段と、電話番号情報メモリに登録要求に係る電話番号が書き込まれたとき、ＶｏＩＰネットワーク上で使用されるゲートキーパーに対して登録要求に係る電話番号の登録を要求するゲートキーパー管理手段とを含むことを特徴とする。
【０００７】
また、本発明によるゲートウェイは、電話端末の電話番号と構内交換機における内線番号とを電話端末ごとに記憶する着信番号変換情報メモリを有し、電話端末から電話番号の登録要求を受けたとき、着信番号変換情報メモリに登録要求に係る電話番号および内線番号を書き込む装置情報管理手段と、着信番号変換情報メモリに登録要求に係る電話番号および内線番号が書き込まれたとき、ＶｏＩＰネットワーク上で使用されるゲートキーパーに対して登録要求に係る電話番号の登録を要求するゲートキーパー管理手段とを含むことを特徴とする。
【０００８】
【発明の実施の形態】
次に添付図面を参照して本発明によるゲートウェイの実施例を詳細に説明する。図１は、本発明によるゲートウェイ（ＧＷ装置１４）の実施例を示すブロック図であり、図２は、このＧＷ装置１４を使用したＶｏＩＰネットワークの構成例である。図２のＶｏＩＰネットワークは、ＩＰ網１０、ＩＰ網１０に接続されたＧＫ装置１２およびＧＷ装置１４から構成され、ＧＷ装置１４には電話端末１６−１〜１６−ｎが接続されている。ここで、ＩＰ網１０は、ＩＰ（Ｉｎｔｅｒｎｅｔ  Ｐｒｏｔｏｃｏｌ  ）が適用される情報ネットワークである。ＧＫ装置１２は、ＧＷ装置１４の登録、管理、状態を制御し、また他のＧＷ装置間での呼接続を行うゲートキーパーである。
【０００９】
また、ＧＷ装置１４は、電話端末１６−１〜１６−ｎとＩＰ網１０とのインターフェースをとるゲートウェイであり、本実施例では特に、電話端末１６−１〜１６−ｎの電話番号情報を含む自装置情報を管理し、ＧＫ装置１２に対して自装置情報の登録や登録離脱を要求する機能を有する。電話端末１６−１〜１６−ｎの使用者は、電話端末からゲートウェイに対して自己の電話番号の登録、変更、登録離脱を要求することにより、ＩＰ網に接続されるＧＫ装置１２おける電話番号の登録、変更、登録離脱を行うことができる。
【００１０】
図１に示すＧＷ装置１４の実施例について説明すると、ＧＷ装置１４は、回線部５０、装置情報管理部５２、回線制御部５４およびＧＫ管理部５６を含む。なお、図１は、電話番号の登録、変更、登録離脱に関係する部分のみを示し、音声通信を制御する音声制御部、ＦＡＸ  通信を制御するＦＡＸ  制御部、ＤＳＰ  （Ｄｉｇｉｔａｌ  Ｓｉｇｎａｌ  Ｐｒｏｃｅｓｓｉｎｇ  ）を制御するＤＳＰ  制御部等については省略してある。また、接続線に付した参照符号は、その接続線に現れる信号を表わす。
【００１１】
回線部５０は、電話端末１６−１〜１６−ｎとＧＫ装置１４とのインターフェースをとるものであり、本実施例では、電話端末１６−１〜１６−ｎから入力される電話番号登録コード（例えば、＃＊１  ）および電話番号削除コード（例えば、＃＊２  ）を検出する機能を含む。そして、電話番号登録コードを検出したとき、電話番号登録コードと共に送られてきた電話番号と、その電話番号登録コードが送られてきた回線の回線番号とを付加した登録要求１０２  を生成して装置情報管理部５２に出力し、電話番号削除コードを検出したとき、電話番号削除コードが送られてきた回線の回線番号を付加した削除要求１０４  を生成して装置情報管理部５２に出力する。
【００１２】
装置情報管理部５２は、自装置に関する情報（自装置情報）を管理するものであり、自装置情報を格納する自装置情報メモリを有する。自装置情報には電話番号情報が含まれ、自装置情報メモリには電話番号情報メモリが含まれる。電話番号情報メモリは、電話番号情報として、ＧＫ装置１２に登録されている電話番号（着信番号）を回線番号ごとに記憶している。装置情報管理部５２は、回線部５０から登録要求１０２  を受けたとき、登録要求１０２  に付加されている回線番号に対応する電話番号が電話番号情報メモリに記憶されている場合には、その電話番号を登録要求１０２  に付加されている電話番号で書き換え、記載されていない場合には、登録要求１０２  に付加されている電話番号を新たに書き込む。
【００１３】
また、装置情報管理部５２は、回線部５０から削除要求１０４  を受けたとき、その削除要求１０４  に付加されている回線番号に対応する電話番号を電話番号情報メモリから削除する。そして、更新および削除の処理後、回線制御部５４に対して閉塞要求１０６  を出力する。また、装置情報管理部５２は、ＧＫ管理部５６から自装置情報の変更内容を問い合わせる自装置情報問合せ１１２  を受けたとき、自装置情報の変更内容を示す変更情報１１４  をＧＫ管理部５６に通知する。
【００１４】
回線制御部５４は、呼を管理する呼制御部であり、本実施例では、装置情報管理部３２から閉塞要求１０６  を受けたとき、呼がない場合には回線を閉塞状態に、呼がある場合には予閉塞状態にそれぞれ設定する。閉塞状態は、例えば、電話端末からの発信を回線部５０または回線制御部５４にて受け付けないようにすることにより実現される。回線制御部５４は、閉塞状態を確認したときＧＫ装置１２との間の呼を確立し、ＧＫ管理部５６に対して再登録処理要求１０８  を出力する。また、ＧＫ管理部５６から閉塞解除要求１１０  を受けたとき閉塞を解除する。
【００１５】
ＧＫ管理部５６は、本実施例では、ＧＫ装置１２との間で所定のメッセージを授受してＧＫ装置１２に対して電話番号の登録、更新、削除を要求するものであり、ＩＰパケットの組立て、分解等を行う機能を含む。ＧＫ管理部５６は、回線制御部５４から再登録処理要求１０８  を受けたとき、装置情報管理部５２に対して自装置情報問合せ１１２  を出力して装置情報管理部３２から自装置情報の変更内容を示す変更情報１１４  を受け、電話番号情報の変更内容を把握する。そして、電話番号が更新、追加、削除されているとき、ＧＫ装置１２に対して電話番号の更新、追加、削除を要求する。
【００１６】
ＧＫ管理部５６からＧＫ装置１２に対する要求は、本実施例では、ＩＴＵ−Ｔ  Ｈ．３２３  仕様に基づくメッセージＵＲＱ  （Ｕｎｒｅｇｉｓｔｅｒ  Ｒｅｑｕｅｓｔ）およびＲＲＱ  （Ｒｅｇｉｓｔｒａｔｉｏｎ  Ｒｅｑｕｅｓｔ）を使用して行われ、要求に対する確認はＧＫ装置１２から送られてくるＵＣＦ  （Ｕｎｒｅｇｉｓｔｅｒ  Ｃｏｎｆｉｒｍ）およびＲＣＦ  （Ｒｅｇｉｓｔｒａｔｉｏｎ  Ｃｏｎｆｉｒｍ）により行われる。例えば、ＧＫ装置１２に対して電話番号の変更を要求する場合、先ず旧電話番号の登録離脱を要求するＵＲＱ  を送出し、次いで新電話番号の登録を要求するＲＲＱ  を送出する。
【００１７】
次に、図２のＶｏＩＰネットワークにおける各装置の動作について説明する。先ず、ＧＫ装置１２に登録されている電話端末１６−ｍ（１≦ｍ≦ｎ  ）の電話番号“１００ｍ”を“１２３４”に変更する場合を例にとって各装置の動作を、図３を参照して説明する。電話端末１６−ｍの使用者は、電話端末１６−ｍにより電話番号の登録変更を要求する電話番号登録コード（＃＊１  ）と電話番号“１２３４”とを入力する（図３のステップＳ１）。なお、電話番号の新規登録を要求する場合もコード（＃＊１  ）を使用する。電話番号登録コード（＃＊１  ）と電話番号“１２３４”はＷＧ装置１４の回線部５０に入力される。
【００１８】
回線部５０では、電話端末１６−ｍからの電話番号登録コード（＃＊１  ）を検出すると、電話番号登録コード（＃＊１  ）が入力された回線の回線番号“０ｍ”と、電話番号登録コード（＃＊１  ）と共に送られてきた電話番号“１２３４”とを付加した登録要求１０２  を生成して装置情報管理部５２に出力する（ステップＳ２）。
【００１９】
装置情報管理部５２では、回線部５０から登録要求１０２  を受けると、登録要求１０２  に付加されている回線番号“０ｍ”と電話番号“１２３４”とに基づいて電話番号情報を更新する。この場合、電話番号情報メモリには回線番号“０ｍ”に対応する電話番号“１００ｍ”が既に記憶されているので、その電話番号“１００ｍ”を“１２３４”に書き換える（ステップＳ３）。なお、電話番号“１００ｍ”が記憶されていない場合には、電話番号“１２３４”を新たに書き込む。装置情報管理部５２では、電話番号情報の設定変更の後、回線制御部５４に対して閉塞要求１０６  を出力する（ステップＳ４）。
【００２０】
回線制御部５４では、装置情報管理部５２から閉塞要求１０６  を受けると、呼がある場合には回線を予閉塞状態に設定し、呼がない場合には閉塞状態に設定する。そして、閉塞状態になったことを確認すると、ＧＫ装置１２間でメッセージの授受を開始するための呼処理を行うと共に、ＧＫ管理部５６に対して再登録処理要求１０８  を出力して自装置情報の再登録処理を要求する（ステップＳ５）。
【００２１】
ＧＫ管理部５６では、回線制御部５４から再登録処理要求１０８  を受けると、装置情報管理部５２に対して自装置情報問合せ１１２  を出力し（ステップＳ６）、装置情報管理部５２から自装置情報の変更内容を示す変更情報１１４  を受ける（ステップＳ７）。ＧＫ管理部５６では、この変更情報１１４  に基づいて電話番号情報の変更内容を把握する。この場合、電話番号情報の電話番号“１００ｍ”が“１２３４”に変更されているので、ＧＫ装置１２に対して電話番号“１００ｍ”を“１２３４”に変更するよう要求する。具体的には、先ず、ＧＫ装置１２に対してＵＲＱ  を送出して電話番号“１００ｍ”の登録離脱を要求する（ステップＳ８）。
【００２２】
ＧＫ装置１２では、登録離脱要求に応じて電話番号“１００ｍ”を登録から削除したとき、登録離脱したことを通知するＵＣＦ  をＧＷ装置１４に対して送出する（ステップＳ９）。ＧＷ装置１４のＧＫ管理部５６では、ＧＫ装置１２からのＵＣＦ  を受信し、電話番号“１００ｍ”の登録離脱を確認する。次いで、ＧＫ管理部５６では、ＧＫ装置１２に対してＲＲＱ  を送出して電話番号“１２３４”の登録を要求する（ステップＳ１０  ）。ＧＫ装置１２では、ＧＷ装置１４の登録要求に応じて電話番号“１２３４”を登録したとき、登録したことを通知するＲＣＦ  をＧＷ装置１４に対して送出する（ステップＳ１１  ）。ＧＫ管理部５６では、ＧＫ装置１２からのＲＣＦ  を受信し、電話番号“１２３４”の登録を確認する。
【００２３】
ＧＫ管理部５６では、ＧＫ装置１２により登録されていた電話番号“１００ｍ”が“１２３４”に変更されたことを確認できたので、回線制御部５４に対して閉塞解除要求１１０  を出力する（ステップＳ１２  ）。回線制御部５４では、この閉塞解除要求１１０  を受けると回線の閉塞状態を解除し、電話端末１６−１〜１６−ｎからの発信を受け付ける状態に戻す。
【００２４】
なお、電話端末１６−ｍの電話番号が未登録である場合には、登録電話番号の登録離脱を行う処理は不要となり、ＧＫ管理部５６からＧＫ装置１２に対してＵＲＱ  を出力する処理およびＧＫ装置１２からＵＣＦ  を受信する処理は行なわれない。
【００２５】
次に、ＧＫ装置１２に登録されている電話番号“１００ｍ”を削除する場合の各装置の動作を、図４を参照して説明する。電話端末１６−ｍの使用者は、電話端末１６−ｍにより電話番号の登録削除を要求する電話番号削除コード（＃＊２  ）を入力する（図４のステップＳ１）。電話番号削除コード（＃＊２  ）はＷＧ装置１４の回線部５０に入力される。回線部５０では、電話端末１６−ｍからの電話番号削除コード（＃＊２  ）を検出すると、電話番号削除コード（＃＊２  ）が入力された回線の回線番号“０ｍ”を付加した削除要求１０４  を生成して装置情報管理部５２に出力する（ステップＳ２）。
【００２６】
装置情報管理部５２では、回線部５０から削除要求１０４  を受けると、削除要求１０４  に付加されている回線番号“０ｍ”に基づいて電話番号情報を更新する。この場合、電話番号情報メモリには、回線番号“０ｍ”に対する電話番号“１００ｍ”が記憶されているので、その電話番号“１００ｍ”を削除する（ステップＳ３）。装置情報管理部５２では、電話番号情報を更新した後、回線制御部５４に対して閉塞要求１０６  を出力する（ステップＳ４）。
【００２７】
回線制御部５４では、装置情報管理部５２からの閉塞要求１０６  を受けると、呼がある場合には回線を予閉塞状態に設定し、呼がない場合には閉塞状態に設定する。そして、閉塞状態になったことを確認すると、ＧＫ装置１２間でメッセージの授受を開始するための呼処理を行うと共に、ＧＫ管理部５６に対して再登録処理要求１０８  を出力して自装置情報の再登録処理を要求する（ステップＳ５）。
【００２８】
ＧＫ管理部５６では、回線制御部５４から再登録処理要求１０８  を受けると、装置情報管理部５２に対して自装置情報問合せ１１２  を出力し（ステップＳ６）、装置情報管理部５２から自装置情報の変更内容を示す変更情報１１４  を受ける（ステップＳ７）。ＧＫ管理部５６では、この変更情報１１４  に基づいて電話番号情報の変更内容を把握する。この場合、電話番号情報の電話番号“１００ｍ”が削除されているので、ＧＫ管理部５６では、先ずＧＫ装置１２に対してＵＲＱ  を送出して電話番号“１００ｍ”の登録離脱を要求する（ステップＳ８）。ＧＫ装置１２では、登録離脱要求に応じて電話番号“１００ｍ”を削除したとき、登録削除したことを通知するＵＣＦ  をＧＷ装置１４に対して送出する（ステップＳ９）。
【００２９】
ＧＷ装置１４のＧＫ管理部５６では、ＧＫ装置１２からのＵＣＦ  を受信し、ＧＫ装置１２において電話番号“１００ｍ”の登録離脱が行われたことを確認する。次いで、ＧＫ管理部５６では、回線制御部５４に対して閉塞解除要求１１０  を出力する（ステップＳ１０  ）。回線制御部５４では、この閉塞解除要求１１０  を受けると回線の閉塞状態を解除し、電話端末１６−１〜１６−ｎの発信を受け付ける状態に戻す。
【００３０】
なお、本実施例のゲートウェイは、電話番号を登録および削除するための機能を備えているが、電話番号を登録するための機能のみを備えるようにしてもよい。
【００３１】
このように本実施例によるゲートウェイによれば、電話端末の使用者は自己の電話番号を個人で管理できるので、システムの管理者は各電話端末の電話番号を管理する必要がなくなり、また、ゲートウェイの再立ち上げを行う煩わしさもなくなる。なお、本実施例のＧＷ装置１４は、図１に示すように電話端末１６−１〜１６−ｎを直接収容しているが、構内交換機（ＰＢＸ  ）のビハインド（ＰＳＴＮ）接続の場合にも適用することができる。
【００３２】
また、本実施例によるゲートウェイに収容された電話端末の使用者は、場所を移動した場合にも、今までに使用していた電話番号を、電話番号体系を考慮せずにそのまま使用することができる。図５は、本実施例によるゲートウェイを使用した電話番号登録方法の一例を示す説明図であり、電話端末の使用者が場所を移動した後も元の電話番号を使用する場合の電話番号登録方法を示す。
【００３３】
図５において、ＩＰ網１０にはＧＫ装置１２、ＧＷ装置１８、２０が接続され、ＧＷ装置１８には場所Ａに設置されている電話端末２２が収容されており、ＧＷ装置２０には場所Ｂに設置されている電話端末２４が収容されている。ここで、ＧＷ装置１８、２０は、図１に示すＧＷ装置１４と同じである。なお、電話端末２２で使用していた電話番号“１２３４”は、ＧＷ装置１８を介してＧＫ装置１２に登録されているものとする。
【００３４】
電話端末２２の使用者は、場所Ａから場所Ｂに移動して電話端末２４を使用する場合、移動前に場所Ａの電話端末２２により電話番号削除コード“＃＊２  ”を入力する。これにより、ＧＷ装置１８における電話番号情報から電話番号“１２３４”が削除され、ＧＫ装置１２に登録されていた電話番号“１２３４”が登録離脱される。使用者は場所Ａから場所Ｂに移動する。使用者は、場所Ｂの電話端末２４により電話番号登録コード“＃＊１  ”および電話番号“１２３４”を入力する。これにより、電話端末２０が収容されているＧＷ装置２０の電話番号情報に電話番号“１２３４”が登録され、ＧＫ装置１２には元の電話番号と同じ“１２３４”が新規に登録される。したがって、使用者は、移動後も移動前の電話番号をそのまま使用することができる。
【００３５】
図６は、本発明によるゲートウェイ（ＧＷ装置２６）の他の実施例を示すブロック図であり、図７は、このＧＷ装置２６を使用したＶｏＩＰネットワークの構成例である。図７のＶｏＩＰネットワークは、ＩＰ網１０、ＩＰ網１０に接続されたＧＫ装置１２およびＧＷ装置２６から構成され、ＧＷ装置２６には電話端末１６−１〜１６−ｎを収容する構内交換機（ＰＢＸ  ）２８が接続されている。ここで、ＩＰ網１０、ＧＫ装置１２は、図２で同一符号が付されたＩＰ網、ＧＫ装置とそれぞれ同じものである。
【００３６】
本実施例における電話端末１６−１〜１６−ｎの使用者は、ＰＢＸ  ２８を介してＧＷ装置２６対して自己の電話番号の登録、変更、登録離脱を要求することにより、ＩＰ網に接続されるＧＫ装置１２おける電話番号の登録、変更、登録離脱を行うことができる。電話番号の登録、変更を希望する場合には、電話端末１６−１〜１６−ｎにより電話番号変換登録コード（例えば、＃＊３  ）と共にＰＢＸ  内線番号および新しい電話番号を入力し、電話番号の登録削除を希望する場合には、電話番号変換削除コード（例えば、＃＊４  ）と共にＰＢＸ  内線番号を入力すればよい。なお、電話端末１６−１〜１６−ｎの内線番号を１００１〜１００ｎとする。
【００３７】
図６に示すＧＷ装置２８の実施例について説明すると、ＧＷ装置２８は、回線部６０、装置情報管理部６２、回線制御部６４およびＧＫ管理部６６を含む。ここで、回線制御部６４およびＧＫ管理部６６は、図１の回線制御部５４およびＧＫ管理部５６とそれぞれ同じものである。しかし、電話端末１６−１〜１６−ｎはＰＢＸ  ２８を介してＧＷ装置２６の回線部６０に接続されるため、回線部６０および装置情報管理部６２は、図１の回線部５０および装置情報管理部５２とは一部相違する。なお、図６は、電話番号の登録、変更、登録離脱に関係する部分のみを示してある。また、接続線に付した参照符号はその接続線に現れる信号を示す。
【００３８】
回線部６０は、ＰＢＸ  ２８とＧＫ装置２６とのインターフェースをとるものであり、本実施例では、ＰＢＸ  ２８を介して電話端末１６−１〜１６−ｎから入力される電話番号変換登録コードおよび電話番号変換削除コードを検出し、電話番号変換登録コードを検出したとき、電話番号変換登録コードと共に送られてくるＰＢＸ  内線番号および電話番号を付加した登録要求１１６  を生成して装置情報管理部６２に出力し、電話番号変換削除コードを検出したとき、電話番号変換削除コードと共に送られてくるＰＢＸ  内線番号および電話番号を付加した削除要求１１８  を生成して装置情報管理部６２に出力する機能を含む。
【００３９】
装置情報管理部６２は、自装置に関する情報（自装置情報）を管理するものであり、自装置情報を格納する自装置情報メモリを有する。自装置情報には着信番号変換情報が含まれ、自装置情報メモリには着信番号変換情報メモリが含まれる。着信番号変換情報メモリは、着信番号変換情報として、ＧＫ装置１２に登録されている電話端末１６−１〜１６−ｎの電話番号とその電話番号に対応するＰＢＸ  内線番号（１００１〜１００ｎ）とを記憶する。装置情報管理部６２では、この着信番号変換情報に基づいて電話番号とＰＢＸ  内線番号との対応関係を把握する。
【００４０】
装置情報管理部６２は、回線部６０から登録要求１１６  を受けたとき、着信番号変換情報メモリに、登録要求１０２  に付加されているＰＢＸ  内線番号および電話番号が既に記憶されている場合には、その電話番号を登録要求１１６  に付加されている電話番号で書き換え、登録要求１１６  に付加されているＰＢＸ  内線番号および電話番号が記憶されていない場合には、そのＰＢＸ  内線番号および電話番号を新たに書き込む。また、回線部６０から削除要求１１８  受けたとき、その削除要求１１８  に付加されているＰＢＸ  内線番号および電話番号を着信番号変換情報メモリから削除する。そして、上記の更新または削除の処理を終了したとき、回線制御部６４に対して閉塞要求１０６  を出力する。
【００４１】
また、装置情報管理部６２は、ＧＫ管理部６６から自装置情報の変更内容を問い合わせる自装置情報問合せ１１２  を受けたとき、自装置情報の変更内容を示す変更情報１１４  をＧＫ管理部６６に出力するものである。なお、回線制御部６４およびＧＫ管理部６６は、図２に示す回線制御部５４およびＧＫ管理部５６と同じものであり、同じ機能を有する。
【００４２】
次に、図７のＶｏＩＰネットワークにおける各装置の動作について説明する。先ず、ＧＫ装置１２に登録されている電話端末１６−ｍ（１≦ｍ≦ｎ  ）の電話番号“１００ｍ”を“１２３４”に変更する場合を例にとって各装置の動作を、図８を参照して説明する。ただし、電話端末１６−ｍのＰＢＸ  内線番号を“１００ｍ”とする。電話端末１６−ｍの使用者は、電話端末１６−ｍによりＰＢＸ  ２８を介してＧＷ装置２６を呼び出し、電話番号の登録変更を要求する電話番号変換登録コード（＃＊３  ）と共にＰＢＸ  内線番号“１００ｍ”および登録しようとする電話番号“１２３４”を入力する（図８のステップＳ１）。
【００４３】
電話番号変換登録コード（＃＊３  ）、ＰＢＸ  内線番号“１００ｍ”および電話番号“１２３４”は、ＰＢＸ  ２８を介してＷＧ装置２６の回線部６０に入力される。回線部６０では、電話番号変換登録コード（＃＊３  ）を検出すると、電話番号変換登録コード（＃＊３  ）と共に入力されたＰＢＸ  内線番号“１００ｍ”および電話番号“１２３４”を付加した登録要求１１６  を生成し、これを装置情報管理部６２に出力する（ステップＳ２）。
【００４４】
装置情報管理部６２では、回線部６０から登録要求１１６  を受けると、登録要求１１６  に付加されているＰＢＸ  内線番号“１００ｍ”および電話番号“１２３４”に基づいて着信番号変換情報を更新する。この場合、着信番号変換情報メモリにＰＢＸ  内線番号“１００ｍ”および電話番号“１００ｍ”が記憶されているので、その電話番号“１００ｍ”を“１２３４”に書き換える（ステップＳ３）。装置情報管理部６２では、着信番号変換情報の設定変更を終了すると、回線制御部６４に対して閉塞要求１０６  を出力する（ステップＳ４）。
【００４５】
回線制御部６４では、装置情報管理部６２から閉塞要求１０６  を受けると、図１に示す回線制御部５４の場合と同様にして回線を閉塞状態にする処理を行い、閉塞状態となった後、ＧＫ管理部６６に対して再登録処理要求１０８  を出力する（ステップＳ５）。ＧＫ管理部６６では、回線制御部６４から再登録処理要求１０８  を受けると、図１に示すＧＫ管理部５６の場合と同様にして、装置情報管理部６２に自装置情報の変更を問合せ（ステップＳ６）、変更内容を示す変更情報１１４  を取得する（ステップＳ７）。
【００４６】
この場合、回線制御部６４では、変更情報１１４  により電話番号“１００ｍ”が“１２３４”に変更されたことを把握し、ＧＫ装置１２に対して電話番号“１００ｍ”の登録離脱、電話番号“１２３４”の登録を要求する（ステップＳ８〜Ｓ１１  ）。そして、電話番号“１２３４”が登録されたことを確認した後、回線制御部６４に対して閉塞解除要求１１０  を出力する（ステップＳ１１  ）。回線制御部６４では、この閉塞解除要求１１０  を受けると閉塞状態の解除を行う。
【００４７】
次に、ＧＫ装置１２に登録されている電話番号“１２３４”を削除する場合の各装置の動作を、図９を参照して説明する。電話端末１６−ｍの使用者は、電話端末１６−ｍによりＰＢＸ  ２８を介してＧＷ装置２６を呼び出し、電話番号の登録削除を要求する電話番号変換削除コード（＃＊４  ）と共にＰＢＸ  内線番号“１００ｍ”および削除する電話番号“１２３４”を入力する（図９のステップＳ１）。
【００４８】
電話番号変換削除コード（＃＊４  ）、ＰＢＸ  内線番号“１００ｍ”および電話番号“１２３４”は、ＰＢＸ  ２８を介してＷＧ装置２６の回線部６０に入力される。回線部６０では、電話端末１６−ｍからの電話番号変換削除コード（＃＊４  ）を検出すると、入力されたＰＢＸ  内線番号“１００ｍ”および電話番号“１２３４”を付加した削除要求１１８  を生成し、これを装置情報管理部６２に出力する（ステップＳ２）。
【００４９】
装置情報管理部６２では、回線部６０から削除要求１１８  を受けると、削除要求１１８  に付加されているＰＢＸ  内線番号“１００ｍ”および電話番号“１２３４”に基づいて着信番号変換情報を更新する。この場合、着信番号変換情報メモリには、ＰＢＸ  内線番号“１００ｍ”および電話番号“１２３４”が記憶されているので、そのＰＢＸ  内線番号“１００ｍ”と電話番号“１２３４”を共に削除する（ステップＳ３）。装置情報管理部６２では、着信番号変換情報を更新した後、回線制御部６４に対して閉塞要求１０６  を出力する（ステップＳ４）。
【００５０】
回線制御部６４では、装置情報管理部６２からの閉塞要求１０６  を受けると、図１に示す回線制御部５４の場合と同様にして閉塞状態のための処理を行い、閉塞状態になったときＧＫ管理部６６に対して再登録処理要求１０８  を出力する（ステップＳ５）。
【００５１】
ＧＫ管理部６６では、回線制御部６４から再登録処理要求１０８  を受けると、図１に示すＧＫ管理部５６の場合と同様にして、装置情報管理部６２から取得した変更情報１１４  に基づいて電話番号“１２３４”が削除されたことを把握し（ステップＳ６〜Ｓ７）、ＧＫ装置１２に対して電話番号“１２３４”の登録削除を要求する（ステップＳ８〜Ｓ９）。そして、電話番号“１２３４”が登録削除されたことを確認した後、回線制御部６４に対して閉塞解除要求１１０  を出力する（ステップＳ１０  ）。回線制御部６４では、この閉塞解除要求１１０  を受けて閉塞解除を行う。
【００５２】
なお、本実施例のゲートウェイは、電話番号を登録および削除するための機能を備えているが、電話番号を登録するための機能のみを備えるようにしてもよい。
【００５３】
このように本実施例によるゲートウェイによれば、電話端末の使用者は自己の電話番号を個人で管理できるので、システムの管理者は各電話端末の電話番号を管理する必要がなくなり、また、ゲートウェイの再立ち上げを行う煩わしさもなくなる。また、本実施例によれば、ＰＢＸ  内線番号とは別個に電話番号を登録しているので、ＰＢＸ  内線番号体系を考慮することなく電話番号の登録、変更、登録削除等を電話端末から要求することができる。
【００５４】
また、ＰＢＸ  を介して本実施例によるゲートウェイに収容された電話端末の使用者は、場所を移動した場合でも、今までに使用していた電話番号を、ＰＢＸ  電話番号体系を考慮せずにそのまま使用することができる。図１０は、図６に示すＧＷ装置２６を使用した電話登録方法の一例を示す説明図であり、電話端末の使用者が場所を移動した後も元の電話番号を使用する場合の電話登録方法を示す。
【００５５】
図１０において、ＩＰ網１０にはＧＫ装置１２およびＧＷ装置３０、３２が接続され、ＧＷ装置３０、３２にはＰＢＸ  ３４、３６がそれぞれ接続されている。さらに、ＰＢＸ  ３４には場所Ｃに設置されている電話端末３８が収容されており、ＰＢＸ  ３６には場所Ｄに設置されている電話端末４０が収容されている。ここで、ＧＷ装置３０、３２は、図６に示すＧＷ装置２６と同じものである。なお、電話端末３８のＰＢＸ  内線番号およびＧＫ装置１２に登録されている電話番号をそれぞれ“１００１”、“１２３４”とし、電話端末４０のＰＢＸ  内線番号を“２００１”とする。
【００５６】
電話端末３８を使用していた使用者は、場所Ｃから場所Ｄに移動して電話端末４０を使用する場合、現在使用している電話端末３８からＧＷ装置３０を呼び、電話番号変換削除コード“＃＊４  ”、ＰＢＸ  内線番号“１００１”および電話番号“１２３４”を入力する。これにより、ＧＷ装置３４における着信番号変換情報からＰＢＸ  内線番号“１００１”および電話番号“１２３４”が削除され、ＧＫ装置１２に登録されていた電話番号“１２３４”が登録離脱される。使用者は場所Ｃから場所Ｄに移動する。
【００５７】
場所Ｄに移動した使用者は、電話端末４０からＧＷ装置３２を呼び、電話番号変換登録コード“＃＊３  ”、ＰＢＸ  内線番号“２００１”および電話番号“１２３４”を入力する。これにより、電話端末４０が収容されているＰＢＸ  ３６が接続されているＧＷ装置３６における着信番号変換情報にＰＢＸ  内線番号“２００１”および電話番号“１２３４”が新規に登録され、ＧＫ装置１２には電話番号“１２３４”が新規に登録される。これにより、使用者は、電話端末３８で使用していた電話番号“１２３４”をそのまま電話端末４０でも使用することができる。
【００５８】
【発明の効果】
以上説明したように本発明のゲートウェイによれば、電話端末の使用者は自己の電話番号を個人で管理できるので、システムの管理者は各電話端末の電話番号を管理する必要がなくなり、また、ゲートウェイの再立ち上げを行う煩わしさもなくなるという効果が得られる。
【図面の簡単な説明】
【図１】本発明によるゲートウェイ（ＧＷ装置）の実施例を示すブロック図である。
【図２】図１に示すＧＷ装置を使用したＶｏＩＰネットワークの構成例（１）  を示すブロック図である。
【図３】図２示す各装置の電話番号変更時における動作を示すフローチャートである。
【図４】図２示す各装置の電話番号削除時における動作を示すフローチャートである。
【図５】図１に示すＧＷ装置を使用した電話番号登録方法の例（１）  を示す説明図である。
【図６】本発明によるＧＷ装置の他の実施例を示すブロック図である。
【図７】図６に示すＧＷ装置を使用したＶｏＩＰネットワークの構成例（２）  を示すブロック図である。
【図８】図７示す各装置の電話番号変更時における動作を示すフローチャートである。
【図９】図７示す各装置の電話番号削除時における動作を示すフローチャートである。
【図１０】図６に示すＧＷ装置を使用した電話番号登録方法の例（２）  を示す説明図である。
【符号の説明】
１０  ＩＰ網
１２  ＧＫ装置
１４、１８、２０、２６、３０、３２  ＧＷ装置
１６、２２、２４、３８、４０  電話端末
２８、３４、３６  構内交換機
５０、６０  回線部
５２、６２  装置情報管理部
５４、６４  回線制御部
５６、６６  ＧＫ管理部
【図１】
2004165812.tif 000003
【図２】
2004165812.tif 000004
【図３】
2004165812.tif 000005
【図４】
2004165812.tif 000006
【図５】
2004165812.tif 000007
【図６】
2004165812.tif 000008
【図７】
2004165812.tif 000009
【図８】
2004165812.tif 000010
【図９】
2004165812.tif 000011
【図１０】
2004165812.tif 000012